(57)【要約】【課題】黒挿入を実現しつつ映像データ書き込みの高速化を抑制した表示装置及びその駆動方法を提供する。【解決手段】映像信号に基づいて階調表示する表示素子を有する画素が行列状に配置された表示部を備える表示装置の駆動方法であって、１フレーム期間内において映像信号を全ての画素に順次書き込む期間である映像信号書き込み期間Ｔｄｉｓｐと、非映像信号を全ての画素に順次書き込む期間である非映像信号書き込み期間Ｔｂｌａｃｋとを時間的に重畳しないように設定し、非映像信号を全ての画素に順次書き込む速度である非映像信号書き込み速度を、映像信号を全ての画素に順次書き込む速度である映像信号書き込み速度よりも高く設定し、映像信号書き込み期間内に映像信号書き込み速度で全ての画素へ映像信号を書き込み、非映像信号書き込み期間内に非映像信号書き込み速度で全ての画素へ映像信号を書き込む。【選択図】図４
2013174739.tif 000002
【特許請求の範囲】
【請求項１】
映像信号に基づいて階調表示する表示素子をそれぞれ有する複数の画素が行列状に配置された表示部を備える表示装置の駆動方法であって、
１フレーム期間内において、前記映像信号を前記複数の前記画素に順次書き込む期間である映像信号書き込み期間と、前記映像信号に基づいた階調表示をさせない一定の信号である非映像信号を前記複数の画素に順次書き込む期間である非映像信号書き込み期間とを、時間的に重畳しないように設定し、
前記非映像信号を前記複数の画素に順次書き込む速度である非映像信号書き込み速度を、前記映像信号を前記複数の画素に順次書き込む速度である映像信号書き込み速度よりも高く設定し、
前記映像信号書き込み期間内に、前記映像信号書き込み速度で前記複数の画素へ前記映像信号を書き込み、
前記非映像信号書き込み期間内に、前記非映像信号書き込み速度で前記複数の画素へ前記非映像信号を書き込む
表示装置の駆動方法。
【請求項２】
前記映像信号書き込み期間では、前記映像信号を画素行ごとに書き込み、
前記非映像信号書き込み期間では、前記非映像信号を画素行ごとに書き込み、
前記映像信号を画素行ごとに書き込むことに対応させて、前記複数の画素を前記映像信号に基づいて画素行ごとに階調表示させる
請求項１に記載の表示装置の駆動方法。
【請求項３】
前記映像信号書き込み期間の終了時から、１画素行に前記映像信号を書き込む期間である１水平期間以上の時間が経過した後に前記非映像信号書き込み期間を開始する
請求項２に記載の表示装置の駆動方法。
【請求項４】
前記非映像信号書き込み期間では、
前記非映像信号を画素行ごとに書き込むタイミングを決定する非映像信号書き込みパルスのパルス幅を、前記映像信号を画素行ごとに書き込むタイミングを決定する映像信号書き込みパルスのパルス幅と略同一に設定する
請求項２に記載の表示装置の駆動方法。
【請求項５】
前記映像信号の書き込みによって開始し前記非映像信号の書き込みによって終了する階調表示期間の長さに応じて、画素行ごとに前記映像信号の大きさを補正する
請求項２に記載の表示装置の駆動方法。
【請求項６】
前記表示部の表示輝度を一様に調整させる表示モードに応じて、前記非映像信号書き込み速度を調節する
請求項１に記載の表示装置の駆動方法。
【請求項７】
映像信号に基づいて階調表示する表示素子をそれぞれ有する複数の画素が行列状に配置された表示部と、
前記映像信号及び前記映像信号に基づいた階調表示をさせない信号である非映像信号を、前記複数の画素に順次書き込むタイミングを制御するタイミング制御部と、
前記タイミング制御部からの制御信号により、前記映像信号を前記複数の画素に順次書き込むタイミングを決定する映像走査信号と、前記非映像信号を前記複数の画素に順次書き込むタイミングを決定する非映像走査信号とを前記表示部に出力する走査部と、
前記走査部からの前記映像走査信号及び前記非映像走査信号と同期して、前記映像信号及び前記非映像信号を前記表示部に出力する信号出力部とを備え、
前記タイミング制御部は、
前記映像信号を前記複数の画素に順次書き込む速度である映像信号書き込み速度よりも、前記非映像信号を前記複数の画素に順次書き込む速度である非映像信号書き込み速度のほうが高くなるよう前記タイミングを制御する
表示装置。
【請求項８】
前記走査部は、クロック信号が入力されることにより前記映像走査信号及び前記非映像走査信号を画素行ごとに出力するシフトレジスタを備え、
前記タイミング制御部は、
前記シフトレジスタが前記非映像走査信号を出力する場合のクロック周波数を、前記シフトレジスタが前記映像走査信号を出力する場合のクロック周波数よりも高く設定する
請求項７に記載の表示装置。
【請求項９】
前記タイミング制御部は、
１フレーム期間内において、前記信号出力部が前記映像信号を画素行ごとに書き込む期間である映像信号書き込み期間と、前記信号出力部が前記非映像信号を画素行ごとに書き込む期間である非映像信号書き込み期間との間に、１画素行に前記映像信号を書き込む期間である１水平期間以上の期間を確保する
請求項７に記載の表示装置。
【請求項１０】
前記非映像走査信号のパルス幅は、前記映像走査信号のパルス幅と略同一である
請求項７に記載の表示装置。
【請求項１１】
さらに、
前記映像信号書き込み速度と前記非映像信号書き込み速度との比に応じて、前記信号出力部が出力する前記映像信号の出力レベルを画素行ごとに補正する信号変換部を備える
請求項７に記載の表示装置。
【請求項１２】
前記非映像信号は、最低階調の信号である
請求項７に記載の表示装置。
【請求項１３】
前記表示素子は、有機エレクトロルミネッセンス素子である
請求項７に記載の表示装置。
【請求項１４】
さらに、
画素行ごとに配置された複数の走査線と、
前記複数の走査線と直交する方向に配置された複数のデータ線とを備え、
前記複数の走査線の各々と前記複数のデータ線の各々との交点に前記画素が配置されており、
前記信号出力部は、前記複数のデータ線のそれぞれに対して、前記映像信号及び前記非映像信号を出力し、
前記走査部は、前記複数の走査線のそれぞれに対して、前記映像走査信号及び前記非映像走査信号を出力する
請求項７に記載の表示装置。
【請求項１５】
前記画素は、さらに、
前記表示素子に電気的に接続され、当該表示素子の発光を決定する駆動素子を備え、
前記非映像信号は、前記駆動素子の動作を停止させる信号である
請求項１４に記載の表示装置。
【発明の詳細な説明】
【技術分野】
【０００１】
本発明は、表示装置及びその駆動方法に関し、特にホールド型の表示装置およびその駆動方法に関する。
【背景技術】
【０００２】
液晶や有機ＥＬディスプレイのようなホールド型表示装置においては、ＣＲＴディスプレイのようなインパルス型表示装置とは異なり、フレーム期間内で画像が持続されることから、動画映像が不鮮明になる不具合が生じる。つまり、ホールド型表示装置の場合は、フレーム期間内で画像が静止画として保持表示され、１フレーム毎に画面を切り換えて動画を表示している。そのため、フレームからフレームへの遷移期間において静止画が切れ目なく切り換わっていることになり、利用者にとっては１つ前のフレーム画像が残像となり、両フレームの画像が重ね合わされた二重画像を知覚して動画ぼけを認識してしまう。
【０００３】
上記動画ぼけを解消する手段として、１フレーム期間内に所定の比率で黒画面を挿入し、現フレーム画像とその前のフレームの残像との重なり認識による動画ぼけを軽減するという技術が提案され、実用化されている。
【０００４】
特許文献１では、１フレーム期間に画像データと黒データとを書き込む液晶表示装置が開示されている。具体的には、上記液晶表示装置は、画素行ごとに配置された走査線を行順次にオンさせて画像データを書き込み、また、複数の走査線を同時にオンさせて黒データを書き込む表示制御手段と、画像データを書き込むときの走査線の位置により画像データを変換して書き込む強調変換手段とを備える。上記強調変換手段により、複数の走査線を同時に黒書き込みすることで発生する上下画素行の輝度差を解消している。
【０００５】
また、特許文献２では、映像書き込みと同じ駆動装置を用いて黒書き込みを行うＯＣＢ（Ｏｐｔｉｃａｌｌｙ  Ｃｏｍｐｅｎｓａｔｅｄ  Ｂｉｒｅｆｒｉｎｇｅｎｃｅ）液晶装置が開示されている。これによれば、映像書き込み期間と同じ水平周波数で黒書き込みしているので、特別な電圧や制御回路が不要である。
【０００６】
また、特許文献３では、電源駆動部により１フレーム期間中に電源電圧をレベル変化させて画素全体に同時に当該電源電圧を供給することで全画素を同時発光方式で駆動する有機電界発光表示装置が開示されている。具体的には、走査ステップ（データ書き込みステップ）は走査線毎に順次行われるが、これを除く残りの初期化ステップ、リセットステップ、閾値電圧補償ステップ、発光ステップ及び発光オフ（黒挿入）ステップは、画素全体において同時に一括して行われる。これにより、各画素の駆動トランジスタの閾値電圧の補償及び高速駆動を可能にしている。
【先行技術文献】
【特許文献】
【０００７】
【特許文献１】特開２００５−１２１８０２号公報
【特許文献２】特開２００９−８６２１２号公報
【特許文献３】特開２０１１−３４０３９号公報
【発明の概要】
【発明が解決しようとする課題】
【０００８】
しかしながら、特許文献１に記載された液晶表示装置及び特許文献２に記載されたＯＣＢ液晶装置の場合、フレーム単位で黒挿入を実行しており、映像データ書き込みタイミング及び黒挿入タイミングは、いずれも行順次に駆動される。また、黒挿入期間における黒挿入データの行順次書き込み速度は映像書き込み期間における映像データの行順次書き込み速度と等速であるので、映像書き込み期間を１フレーム期間の１／２以下としなければならない。これを実現するため、映像データの行順次書き込み速度は、黒挿入期間を設けない場合の映像データ書き込み速度と比較して、２倍以上高速化しなければならないという課題が発生する。また、特許文献３に記載された有機電界発光表示装置では、一括発光及び一括黒挿入のため、電源電圧を変化させる方式をとっているが、１フレームごとに電源電圧を変化させるときのスイッチング損失が大きい。また、映像データ書き込み後に続く行順次発光ではない一括発光のため、発光期間以外の期間で走査ステップの期間を確保する必要があり、当該走査ステップにおける映像データの行順次書き込み速度は、発光期間を長く確保するほど高速化しなければならない。
【０００９】
一方、走査線及びデータ線の寄生容量や抵抗などにより、駆動回路から遠い位置に配置された画素においても、走査信号及びデータ信号を高精度に伝達するには、当該伝達のための所定の期間を確保する必要がある。しかし、上述したように、映像データ書き込みを高速化するにつれ、駆動回路から遠い位置に配置された画素では、伝達された走査信号及びデータ信号の波形のなまりが無視できなくなり、映像データの書き込み精度の低下が懸念される。
【００１０】
上記課題に鑑み、本発明は、黒挿入を実現しつつ映像データ書き込みの高速化を抑制した表示装置及びその駆動方法を提供することを目的とする。
【課題を解決するための手段】
【００１１】
上記課題を解決するために、本発明の一態様に係る表示装置の駆動方法は、映像信号に基づいて階調表示する表示素子をそれぞれ有する複数の画素が行列状に配置された表示部を備える表示装置の駆動方法であって、１フレーム期間内において、前記映像信号を前記複数の前記画素に順次書き込む期間である映像信号書き込み期間と、前記映像信号に基づいた階調表示をさせない一定の信号である非映像信号を前記複数の画素に順次書き込む期間である非映像信号書き込み期間とを、時間的に重畳しないように設定し、前記非映像信号を前記複数の画素に順次書き込む速度である非映像信号書き込み速度を、前記映像信号を前記複数の画素に順次書き込む速度である映像信号書き込み速度よりも高く設定し、前記映像信号書き込み期間内に、前記映像信号書き込み速度で前記複数の画素へ前記映像信号を書き込み、前記非映像信号書き込み期間内に、前記非映像信号書き込み速度で前記複数の画素へ前記非映像信号を書き込むことを特徴とする。
【発明の効果】
【００１２】
本発明の表示装置及びその駆動方法によれば、非映像信号の書き込み速度を高速化することにより、１フレーム期間に占める映像信号書き込み期間の比率を高めることができる。よって、映像信号書き込み速度の高速化を抑制することが可能となる。
【図面の簡単な説明】
【００１３】
【図１】本発明の実施の形態１に係る表示装置の機能ブロック図である。
【図２】本発明の実施の形態１に係る表示装置の駆動方法を説明する動作フローチャートである。
【図３】本発明の実施の形態１に係る表示部に配置された発光画素の回路構成の一例を示す図である。
【図４】本発明の実施の形態１に係る表示装置の駆動タイミングチャートである。
【図５】表示装置の従来の駆動タイミングチャートである。
【図６Ａ】本発明の実施の形態１に係る駆動方法の第１の変形例を示す駆動タイミングチャートである。
【図６Ｂ】本発明の実施の形態１に係る駆動方法の第２の変形例を示す駆動タイミングチャートである。
【図７】本発明の実施の形態２に係る表示装置の動作駆動タイミングチャートである。
【図８】本発明の表示装置を内蔵した薄型フラットＴＶの外観図である。
【発明を実施するための形態】
【００１４】
本発明の実施の形態における表示装置及びその駆動方法について説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１５】
本発明の一態様に係る表示装置の駆動方法は、映像信号に基づいて階調表示する表示素子をそれぞれ有する複数の画素が行列状に配置された表示部を備える表示装置の駆動方法であって、１フレーム期間内において、前記映像信号を前記複数の前記画素に順次書き込む期間である映像信号書き込み期間と、前記映像信号に基づいた階調表示をさせない一定の信号である非映像信号を前記複数の画素に順次書き込む期間である非映像信号書き込み期間とを、時間的に重畳しないように設定し、前記非映像信号を前記複数の画素に順次書き込む速度である非映像信号書き込み速度を、前記映像信号を前記複数の画素に順次書き込む速度である映像信号書き込み速度よりも高く設定し、前記映像信号書き込み期間内に、前記映像信号書き込み速度で前記複数の画素へ前記映像信号を書き込み、前記非映像信号書き込み期間内に、前記非映像信号書き込み速度で前記複数の画素へ前記非映像信号を書き込むことを特徴とする。
【００１６】
本態様によると、非映像信号の書き込み速度が映像信号の書き込み速度に比べて高速化される。これにより、１フレーム期間に占める映像信号書き込み期間の比率を高めることができ、１フレーム期間内に非映像信号表示期間が設けられることに対応した映像信号書き込み速度の高速化を抑制することが可能となる。
【００１７】
映像信号書き込み速度を高速化するほど、映像信号の画素への出力タイミングを決定する映像走査信号のパルス幅を小さくしなければならない。また、表示部の大面積化により、映像走査信号を出力する駆動回路から遠い位置に配置された画素では、映像走査信号を伝達する走査線及び映像信号を伝達するデータ線の寄生容量や抵抗により、映像走査信号及び映像信号のパルス波形がなまる。このパルス波形のなまりは、映像走査信号のパルス幅が小さいほど波形なまりによる電圧低下の影響が顕著となり、映像信号の書き込み精度を低下させてしまう。
【００１８】
本態様によれば、映像信号書き込み速度の高速化を抑制できるので、映像信号電圧の書き込み精度の低下が抑制される。
【００１９】
また、前記映像信号書き込み期間では、前記映像信号を画素行ごとに書き込み、前記非映像信号書き込み期間では、前記非映像信号を画素行ごとに書き込み、前記映像信号を画素行ごとに書き込むことに対応させて、前記複数の画素を前記映像信号に基づいて画素行ごとに階調表示させてもよい。
【００２０】
本態様によると、映像信号書き込み動作に続いて階調表示動作も行順次に実行されるので、非映像信号書き込み動作の高速化により、１フレーム期間において階調表示期間を長く確保することが可能となる。
【００２１】
また、前記映像信号書き込み期間の終了時から、１画素行に前記映像信号を書き込む期間である１水平期間以上の時間が経過した後に前記非映像信号書き込み期間を開始することが好ましい。
【００２２】
映像信号書き込み期間の終了後、続いて非映像信号書き込み期間が開始された場合、映像信号書き込み期間が終了した時点では、データ線が完全に非映像信号の電圧レベルに達していないため、非映像信号書き込み期間において非映像信号の電圧レベルが高精度に書き込まれない事態が想定される。これに対して、本態様によれば、映像信号書き込み期間と非映像信号書き込み期間との間に１水平期間が設けられるので、データ線が映像信号の電圧レベルから完全に非映像信号の電圧レベルになってから非映像信号書き込み動作を開始することができる。よって、１フレーム期間ごとに非映像信号を高精度に挿入できるので、動画ぼけを確実に解消することが可能となる。
【００２３】
また、前記非映像信号書き込み期間では、前記非映像信号を画素行ごとに書き込むタイミングを決定する非映像信号書き込みパルスのパルス幅を、前記映像信号を画素行ごとに書き込むタイミングを決定する映像信号書き込みパルスのパルス幅と略同一に設定することが好ましい。
【００２４】
映像信号書き込み速度に対する非映像信号書き込み速度の比率を所定値以上に大きくすると、駆動回路の遠端に配置された画素において、非映像信号の書き込みが不可能となる場合が想定される。これに対し、本態様では、非映像信号書き込み期間において駆動回路から出力される、非映像信号の画素への出力タイミングを決定する非映像走査信号のパルス幅を広く設定している。つまり、非映像走査信号をオン及びオフにするタイミングは非映像信号書き込み速度に従い行順次であるが、隣接する画素行間で非映像走査信号のオン状態が重複する。つまり、非映像走査信号のパルス幅を、複数の画素行でＯＮとなるレベルが重複するまで広くすることにより、映像信号書き込み速度の高速化を抑制でき、かつ、高精度な信号書き込みが維持される。よって、映像信号表示期間と非映像信号表示期間との比率を任意に設定することが可能となる。なお、本態様が実現可能となるのは、非映像信号書き込み期間においては、複数の画素行に対して同じ非映像信号電圧が書き込まれても問題が生じないことによるものである。
【００２５】
また、前記映像信号の書き込みによって開始し前記非映像信号の書き込みによって終了する階調表示期間の長さに応じて、画素行ごとに前記映像信号の大きさを補正してもよい。
【００２６】
非映像信号の書き込み速度が映像信号の書き込み速度に比べて高速化されると、映像信号書き込みの開始から非映像信号の書き込みの開始までの階調表示期間の長さが、画素行ごとに異なることが想定される。例えば、行順次書き込みを実行する場合には、画素行が下方となるにつれ階調表示期間が短くなり、画素行単位で、映像信号を反映しない輝度差が発生する場合がある。人が視認する輝度は、１フレーム期間に占める発光期間における単位時間あたりの発光輝度の積分量に相当するので、上記輝度補正により上記輝度差は解消される。
【００２７】
本態様によれば、映像信号書き込み速度の高速化を抑制しつつ、映像信号書き込み速度と非映像信号書き込み速度とを異ならせることにより発生する画素行間の輝度差を解消することが可能となる。
【００２８】
また、前記表示部の表示輝度を一様に調整させる表示モードに応じて、前記非映像信号書き込み速度を調節してもよい。
【００２９】
本態様によると、表示モード（標準モード、映画モード、ゲームモード等）及び省電力モード等に応じて非映像信号書き込み速度を調節するので、映像信号表示期間と非映像信号表示期間との比率を調整することが可能となる。これにより、表示部の表示輝度を一様に調整することが可能となる。
【００３０】
なお、本発明は、このような表示装置の駆動方法として実現できるだけでなく、当該駆動方法に含まれる特徴的なステップを手段とする表示装置として実現することもできる。
【００３１】
本発明の一態様に係る表示装置は、映像信号に基づいて階調表示する表示素子をそれぞれ有する複数の画素が行列状に配置された表示部と、前記映像信号及び前記映像信号に基づいた階調表示をさせない信号である非映像信号を、前記複数の画素に順次書き込むタイミングを制御するタイミング制御部と、前記タイミング制御部からの制御信号により、前記映像信号を前記複数の画素に順次書き込むタイミングを決定する映像走査信号と、前記非映像信号を前記複数の画素に順次書き込むタイミングを決定する非映像走査信号とを前記表示部に出力する走査部と、前記走査部からの前記映像走査信号及び前記非映像走査信号と同期して、前記映像信号及び前記非映像信号を前記表示部に出力する信号出力部とを備え、前記タイミング制御部は、前記映像信号を前記複数の画素に順次書き込む速度である映像信号書き込み速度よりも、前記非映像信号を前記複数の画素に順次書き込む速度である非映像信号書き込み速度のほうが高くなるよう前記タイミングを制御することを特徴とする。
【００３２】
本態様によると、非映像信号の書き込み速度が映像信号の書き込み速度に比べて高速化される。これにより、１フレーム期間に占める映像信号書き込み期間の比率を高めることができ、１フレーム期間内に非映像信号表示期間が設けられることに対応した映像信号書き込み速度の高速化を抑制することが可能となる。
【００３３】
また、前記走査部は、クロック信号が入力されることにより前記映像走査信号及び前記非映像走査信号を画素行ごとに出力するシフトレジスタを備え、前記タイミング制御部は、前記シフトレジスタが前記非映像走査信号を出力する場合のクロック周波数を、前記シフトレジスタが前記映像走査信号を出力する場合のクロック周波数よりも高く設定してもよい。
【００３４】
本態様によると、走査部のシフトレジスタから出力される非映像走査信号の出力周波数を、映像走査信号の出力周波数よりも高く設定できる。よって、非映像信号の書き込み速度を映像信号の書き込み速度に比べて高く設定することが可能となる。
【００３５】
また、前記タイミング制御部は、１フレーム期間内において、前記信号出力部が前記映像信号を画素行ごとに書き込む期間である映像信号書き込み期間と、前記信号出力部が前記非映像信号を画素行ごとに書き込む期間である非映像信号書き込み期間との間に、１画素行に前記映像信号を書き込む期間である１水平期間以上の期間を確保することが好ましい。
【００３６】
本態様によれば、映像信号書き込み期間と非映像信号書き込み期間との間に１水平期間が設けられるので、データ線が映像信号の電圧レベルから完全に非映像信号の電圧レベルになってから非映像信号書き込み動作を開始することができる。よって、１フレーム期間ごとに非映像信号を高精度に挿入できるので、動画ぼけを確実に解消することが可能となる。
【００３７】
また、前記非映像走査信号のパルス幅は、前記映像走査信号のパルス幅と略同一であってもよい。
【００３８】
非映像走査信号のパルス幅を、複数の画素行でＯＮとなるレベルが重複するまで広くすることにより、映像信号書き込み速度の高速化を抑制でき、かつ、高精度な信号書き込みが維持される。よって、映像信号表示期間と非映像信号表示期間との比率を任意に設定することが可能となる。
【００３９】
また、さらに、前記映像信号書き込み速度と前記非映像信号書き込み速度との比に応じて、前記信号出力部が出力する前記映像信号の出力レベルを画素行ごとに補正する信号変換部を備えてもよい。
【００４０】
本態様によれば、映像信号書き込み速度の高速化を抑制しつつ、映像信号書き込み速度と非映像信号書き込み速度とを異ならせることにより発生する画素行間の輝度差を解消することが可能となる。
【００４１】
また、前記非映像信号は、最低階調の信号であってもよい。
【００４２】
これにより、１フレーム期間ごとに黒挿入信号を挿入できるので、動画ぼけを解消することが可能となる。また、非映像信号書き込み速度を高速化した場合、非映像信号書き込み期間中ではデータ線は黒挿入電圧値にレベル固定されているので、非映像走査信号の波形なまりは、黒挿入電圧の書き込み精度には影響しない。よって、非映像信号書き込み期間においては、データ線及び走査線における信号なまりとは無関係に非映像信号書き込み速度を高速化することが可能である。
【００４３】
また、前記表示素子は、有機エレクトロルミネッセンス素子であってもよい。
【００４４】
また、さらに、画素行ごとに配置された複数の走査線と、前記複数の走査線と直交する方向に配置された複数のデータ線とを備え、前記複数の走査線の各々と前記複数のデータ線の各々との交点に前記画素が配置されており、前記信号出力部は、前記複数のデータ線のそれぞれに対して、前記映像信号及び前記非映像信号を出力し、前記走査部は、前記複数の走査線のそれぞれに対して、前記映像走査信号及び前記非映像走査信号を出力してもよい。
【００４５】
本態様によれば、信号出力部から出力された映像信号は、複数のデータ線を介して表示部に供給される。また、映像信号を画素に供給するタイミングを制御する走査信号は、複数の走査線を介して表示部に供給される。
【００４６】
また、前記画素は、さらに、前記表示素子に電気的に接続され、当該表示素子の発光を決定する駆動素子を備え、前記非映像信号は、前記駆動素子の動作を停止させる信号であってもよい。
【００４７】
本態様によれば、行列状に配置された表示素子のそれぞれに、駆動素子が電気的に接続されている。これにより、表示部外に設けられた信号出力部や走査部からの信号に応じて上記駆動素子を制御することにより表示期間を制御することが可能となる。
【００４８】
以下、本発明の好ましい実施の形態を図に基づき説明する。なお、以下では、全ての図を通じて同一又は相当する要素には同じ符号を付して、その重複する説明を省略する。
【００４９】
（実施の形態１）
図１は、本発明の実施の形態１に係る表示装置の機能ブロック図である。同図に記載された表示装置１は、表示部１１と、信号出力部１２と、走査部１３と、タイミング制御部１４と、信号変換部１５と、黒挿入率決定部１６とを備える。
【００５０】
以下、各部の機能及び構成について説明する。
【００５１】
表示部１１は、マトリクス状に配置された複数の発光画素から構成され、各発光画素は表示素子を有する。ここで、表示素子とは、外部入力された映像信号に対応した電気信号により発光する素子であり、例えば、有機エレクトロルミネッセンス（以下、ＥＬと記す。)素子及び液晶素子等が該当する。
【００５２】
黒挿入率決定部１６は、信号出力部１２が上記映像信号を出力せず、一定の黒挿入信号を出力する期間である非映像信号書き込み期間の１フレーム期間内で占める割合（黒挿入率）を決定する機能を有する。ここで、上記非映像信号書き込み期間には、映像信号に基づいた階調表示をさせない信号である非映像信号を出力させ、非映像信号とは、例えば、最低階調の信号である。本実施の形態では、非映像信号書き込み期間とは、信号出力部１２が、上記表示素子に発光させないための黒挿入信号を出力する期間である。黒挿入率決定部１６は、例えば、表示モード（標準モード、映画モード、ゲームモード等）及び省電力モード等に応じて、黒挿入率を決定する。
【００５３】
なお、黒挿入率決定部１６は、映像信号に付加された情報に基づき、表示部１１の表示輝度を一様に調整させる表示モード及び省電力モードを確定させて黒挿入率を決定してもよく、また、ユーザ入力情報に基づき表示モード及び省電力モードを確定させて黒挿入率を決定してもよい。さらに、表示モード及び省電力モードにより黒挿入率を決定しなくてもよく、他の情報により黒挿入率を決定してもよく、あるいは、黒挿入率を固定値としてもよい。
【００５４】
タイミング制御部１４は、信号出力部１２及び走査部１３を制御する機能を有する。具体的には、タイミング制御部１４は、黒挿入率決定部１６により決定された黒挿入率に応じて、映像信号を各発光画素に対して行順次に書き込む速度である映像信号書き込み速度よりも、黒挿入信号を各発光画素に行順次に書き込む速度である非映像信号書き込み速度のほうが速くなるよう書き込み速度を設定する。そして、タイミング制御部１４は、設定した映像信号書き込み速度となるよう、信号出力部１２に対して、映像信号を表示部１１へ出力するタイミングを指示する。また、タイミング制御部１４は、走査部１３に対して、信号出力部１２から各発光画素へ映像信号が行順次に書き込まれる速度が、設定した映像信号書き込み速度となるよう、映像信号を表示部１１へ行順次に出力するタイミングを指示する。また、タイミング制御部１４は、走査部１３に対して、信号出力部１２から各発光画素へ非映像信号が行順次に書き込まれる速度が、設定した非映像信号書き込み速度となるよう、非映像信号を表示部１１へ行順次に出力するタイミングを指示する。
【００５５】
信号変換部１５は、黒挿入率決定部１６で決定された黒挿入率に従い、１フレーム期間のうち映像信号を出力する期間である映像信号書き込み期間に信号出力部１２から映像信号を出力するよう、また、非映像信号書き込み期間に信号出力部１２から非映像信号を出力するよう、映像信号を変換する。
【００５６】
信号出力部１２は、信号変換部１５で変換された映像信号、及び非映像信号を表示部１１に出力する機能を有する。
【００５７】
走査部１３は、上記変換された映像信号及び非映像信号が、黒挿入率決定部１６で決定された黒挿入率でいずれかの画素行に入力されるよう、映像信号の書き込みタイミングを供給する映像走査信号と、非映像信号の書き込みタイミングを供給する非映像走査信号とを１画素行毎に表示部１１に出力する機能を有する。
【００５８】
ここで、映像信号書き込み速度とは、走査部１３が映像走査信号を各画素に出力するときの画素行間の速さであり、映像信号が単位時間あたりに書き込まれる画素行数に相当する。また、非映像信号書き込み速度とは、走査部１３が非映像走査信号を各画素に出力するときの画素行間の速さであり、非映像信号が単位時間あたりに書き込まれる画素行数に相当する。
【００５９】
なお、上述したタイミング制御部１４の制御機能は、信号出力部１２及び走査部１３に含まれていてもよい。この場合には、タイミング制御部１４はなくてもよく、信号出力部１２及び走査部１３が各機能を分担する形態、あるいは、信号出力部１２または走査部１３がタイミング制御部１４の全機能を有する形態であってもよい。
【００６０】
次に、上述した構成を有する表示装置１の駆動方法について、その特徴的なステップを中心に説明する。
【００６１】
図２は、本発明の実施の形態１に係る表示装置１の駆動方法を説明する動作フローチャートである。
【００６２】
まず、黒挿入率決定部１６は、外部入力された表示モード等に基づいて、信号出力部１２の映像信号書き込み期間と非映像信号書き込み期間との割合である１フレーム期間における黒挿入率を決定する（Ｓ１０）。
【００６３】
次に、タイミング制御部１４は、黒挿入率決定部１６で決定された黒挿入率に基づいて、映像信号書き込み速度よりも非映像信号書き込み速度のほうが速くなるよう書き込み速度を決定する（Ｓ２０）。
【００６４】
最後に、信号出力部１２は、信号変換部１５で変換された映像信号及び黒挿入信号を、タイミング制御部１４からの信号出力タイミングに従って表示部１１に出力する。また、走査部１３は、映像走査信号及び非映像走査信号を、タイミング制御部１４からの走査タイミングに従って表示部１１に出力する。この信号出力部１２及び走査部１３の出力動作により、映像信号が映像信号書き込み速度で行順次に書き込まれ、また、黒挿入信号が非映像信号書き込み速度で行順次に書き込まれる（Ｓ３０）。
【００６５】
上述した、黒挿入率の決定、映像信号書き込み速度及び非映像信号書き込み速度の決定、ならびに、映像信号書き込み動作及び非映像信号書き込み動作により、黒挿入信号の書き込み速度が高速化される。これにより、１フレーム期間に占める映像信号書き込み期間の比率を高めることができ、黒挿入による映像信号書き込み速度の高速化を抑制することが可能となる。
【００６６】
次に、表示装置１の画素回路の一例を示し、上述した駆動方法による表示動作を説明する。
【００６７】
図３は、本発明の実施の形態１に係る表示部に配置された発光画素の回路構成の一例を示す図である。同図に記載された表示部１１は、発光画素が行列状に配置され、各発光画素は、駆動トランジスタ１１１と、選択トランジスタ１１２と、有機ＥＬ素子１１３と、コンデンサ１１８と、データ線１１４と、走査線１１５と、正電源線１１６と、負電源線１１７とを備える。駆動トランジスタ１１１のドレイン電極は正電源線１１６に接続され、ソース電極は有機ＥＬ素子１１３のアノードに接続されている。また、選択トランジスタ１１２のドレイン電極はデータ線１１４に、ゲート電極は走査線１１５に、ソース電極は駆動トランジスタ１１１のゲート電極に接続されている。また、コンデンサ１１８は、駆動トランジスタ１１１のゲート電極とソース電極との間に接続されている。また、各画素行に配置された走査線１１５は、図１に記載された走査部１３に接続され、各画素列に配置されたデータ線１１４は、図１に記載された信号出力部１２に接続されている。
【００６８】
上記構成において、走査部１３から走査線１１５に映像走査信号が入力され、選択トランジスタ１１２をオン状態にすると、信号出力部１２からデータ線１１４を介して、映像信号に対応した映像信号電圧がコンデンサ１１８に書き込まれる。また同時に、駆動トランジスタ１１１のゲート電極−ソース電極間に、上記映像信号電圧が印加されることにより駆動素子である駆動トランジスタ１１１のコンダクタンスが変化し、当該映像信号電圧の発光階調に対応した駆動電流が有機ＥＬ素子１１３のアノードに供給され、カソードへと流れる。これにより、有機ＥＬ素子１１３が発光し画像として表示される。つまり、有機ＥＬ素子１１３は、映像信号に基づいて階調表示する表示素子である。
【００６９】
一方、走査部１３から走査線１１５に非映像走査信号が入力され、選択トランジスタ１１２をオン状態にすると、信号出力部１２からデータ線１１４を介して、黒挿入信号に対応した黒挿入電圧がコンデンサ１１８に書き込まれる。また同時に、駆動トランジスタ１１１のゲート電極−ソース電極間に、上記黒挿入電圧が印加されることにより駆動トランジスタ１１１がオフ状態となり有機ＥＬ素子１１３に駆動電流が流れなくなる。これにより、有機ＥＬ素子１１３が消光し黒画像が表示される。
【００７０】
なお、選択トランジスタ１１２、駆動トランジスタ１１１は、映像信号の電圧値に応じた駆動電流を有機ＥＬ素子１１３に流すために必要な基本回路構成要素であるが、本実施の形態に係る画素回路は、上述した形態に限定されない。例えば、データ線１１４から供給された信号電圧を保持するコンデンサ１１８は、駆動トランジスタ１１１のゲート電極−ドレイン電極間に接続されてもよい。
【００７１】
図４は、本発明の実施の形態１に係る表示装置の駆動タイミングチャートである。同図において、横軸は時間を表している。また縦方向には、上から順に、データ線１１４の電圧レベル、１行目に配置された走査線１１５（１）の電圧レベル、（ｎ−１）行に配置された走査線１１５（ｎ−１）の電圧レベル、（ｎ−１）行における有機ＥＬ素子１１３の発光輝度レベルＬ（ｎ−１）、ｎ行に配置された走査線１１５（ｎ）の電圧レベル、ｎ行における有機ＥＬ素子１１３の発光輝度レベルＬ（ｎ）、（ｍ−１）行に配置された走査線１１５（ｍ−１）の電圧レベル、（ｍ−１）行における有機ＥＬ素子の発光輝度レベルＬ（ｍ−１）、ｍ行に配置された走査線１１５（ｍ）の電圧レベル、ｍ行における有機ＥＬ素子の発光輝度レベルＬ（ｍ）、最終行に配置された走査線１１５（Ｌａｓｔ）の電圧レベルの波形図が示されている。
【００７２】
信号出力部１２は、信号変換部１５において変換された映像信号である映像信号電圧を、映像信号書き込み期間Ｔｄｉｓｐ内に、行単位でデータ線１１４に出力する。映像信号書き込み期間Ｔｄｉｓｐは、全ての発光画素に対して映像信号電圧を書き込む期間である。また、信号出力部１２は、黒挿入電圧を非映像信号書き込み期間Ｔｂｌａｃｋ内にデータ線１１４に出力する。非映像信号書き込み期間Ｔｂｌａｃｋは、全ての発光画素に対して黒挿入電圧を書き込む期間である。この１フレーム期間に対する非映像信号書き込み期間Ｔｂｌａｃｋの比率が、黒挿入率決定部１６で決定された黒挿入率に相当する。
【００７３】
まず、時刻ｔ０１において、走査部１３は、走査線１１５（１）の電圧レベルをＬＯＷからＨＩＧＨに変化させ、１行目の選択トランジスタ１１２をＯＮ状態とする。これにより、データ線１１４の時刻ｔ０１における映像信号電圧が１行目の駆動トランジスタ１１１のゲート電極に印加され、当該駆動トランジスタ１１１はＯＮ状態となり、映像信号電圧に応じた駆動電流が１行目の有機ＥＬ素子１１３に流れ始める。
【００７４】
次に、時刻ｔ０２において、走査部１３は、走査線１１５（ｎ−１）の電圧レベルをＬＯＷからＨＩＧＨに変化させ、（ｎ−１）行の選択トランジスタ１１２をＯＮ状態とする。これにより、データ線１１４の時刻ｔ０２における映像信号電圧が（ｎ−１）行の駆動トランジスタ１１１のゲート電極に印加され、当該駆動トランジスタ１１１はＯＮ状態となり、映像信号電圧に応じた駆動電流が（ｎ−１）行目の有機ＥＬ素子１１３に流れ始める。また、同時に、（ｎ−１）行のコンデンサ１１８への、上記映像信号電圧による充電が開始される。
【００７５】
次に、時刻ｔ０３において、走査部１３は、走査線１１５（ｎ−１）の電圧レベルをＨＩＧＨからＬＯＷに変化させ、（ｎ−１）行の選択トランジスタ１１２をＯＦＦ状態とする。このとき、（ｎ−１）行の駆動トランジスタ１１１のゲート電極には、時刻ｔ０２以降のコンデンサ１１８への充電により、映像信号電圧に対応した電圧が保持されている。これにより、（ｎ−１）行に配置された発光画素は、映像信号電圧に応じた輝度Ｌ（ｎ−１）での発光動作を開始する。
【００７６】
また、同時に、時刻ｔ０３において、走査部１３は、走査線１１５（ｎ）の電圧レベルをＬＯＷからＨＩＧＨに変化させ、ｎ行の選択トランジスタ１１２をＯＮ状態とする。これにより、データ線１１４の時刻ｔ０３における映像信号電圧がｎ行の駆動トランジスタ１１１のゲート電極に印加され、当該駆動トランジスタ１１１はＯＮ状態となり、映像信号電圧に応じた駆動電流がｎ行目の有機ＥＬ素子１１３に流れ始める。
【００７７】
なお、時刻ｔ０１〜時刻ｔ０２の間において、走査部１３は、上述した時刻ｔ０２〜ｔ０３の動作と同様の動作を、走査線１１５（１）〜走査線１１５（ｎ−２）について順次実行している。
【００７８】
時刻ｔ０３以降、走査部１３は、上述した時刻ｔ０２〜ｔ０３の動作と同様の動作を、走査線１１５（ｎ）〜走査線１１５（Ｌａｓｔ）について順次実行する。そして、時刻ｔ０４において、走査部１３は、走査線１１５（Ｌａｓｔ）の電圧レベルをＨＩＧＨからＬＯＷに変化させ、最終行に配置された発光画素は、発光動作を開始する。
【００７９】
ここで、時刻ｔ０１〜ｔ０４において、走査線１１５（１）〜１１５（Ｌａｓｔ）の電圧レベルが行順次にＬＯＷ→ＨＩＧＨ→ＬＯＷとなる電圧パルス信号が映像走査信号に相当する。また、時刻ｔ０１〜ｔ０４において、映像信号を書き込むために走査線１１５（１）〜１１５（Ｌａｓｔ）の電圧レベルを行順次にＬＯＷからＨＩＧＨに変化させる速度が、上述した映像信号書き込み速度に相当する。また、時刻ｔ０１〜時刻ｔ０４の期間が、映像信号書き込み期間Ｔｄｉｓｐに相当する。また、各発光画素の発光は、黒挿入電圧が各発光画素に書き込まれるまで持続される。続いて、黒挿入電圧の書き込みによる消光動作について説明する。
【００８０】
時刻ｔ０５において、走査部１３は、走査線１１５（１）の電圧レベルをＬＯＷからＨＩＧＨに変化させ、１行目の選択トランジスタ１１２をＯＮ状態とする。これにより、データ線１１４の黒挿入電圧が１行目の駆動トランジスタ１１１のゲート電極に印加され、当該駆動トランジスタ１１１はＯＦＦ状態となり、１行目の有機ＥＬ素子１１３は消光する。
【００８１】
次に、時刻ｔ０６において、走査部１３は、走査線１１５（ｎ−１）の電圧レベルをＬＯＷからＨＩＧＨに変化させ、（ｎ−１）行の選択トランジスタ１１２をＯＮ状態とする。これにより、データ線１１４の黒挿入電圧が（ｎ−１）行の駆動トランジスタ１１１のゲート電極に印加され、駆動電流は減少し始める。
【００８２】
次に、時刻ｔ０７において、走査部１３は、走査線１１５（ｎ−１）の電圧レベルをＨＩＧＨからＬＯＷに変化させ、（ｎ−１）行の選択トランジスタ１１２をＯＦＦ状態とする。このとき、（ｎ−１）行の駆動トランジスタ１１１のゲート電極には、時刻ｔ０６以降のコンデンサ１１８への黒挿入電圧による充電により、当該黒挿入電圧に対応した電圧が保持されている。これにより、（ｎ−１）行の駆動トランジスタ１１１はＯＦＦ状態となり、（ｎ−１）行の有機ＥＬ素子１１３は完全に消光する。
【００８３】
また、同時に、時刻ｔ０７において、走査部１３は、走査線１１５（ｎ）の電圧レベルをＬＯＷからＨＩＧＨに変化させ、ｎ行の選択トランジスタ１１２をＯＮ状態とする。これにより、データ線１１４の黒挿入電圧がｎ行の駆動トランジスタ１１１のゲート電極に印加され、駆動電流は減少し始める。
【００８４】
なお、時刻ｔ０５〜時刻ｔ０６の間において、走査部１３は、上述した時刻ｔ０６〜ｔ０７の動作と同様の動作を、走査線１１５（１）〜走査線１１５（ｎ−２）について順次実行している。
【００８５】
時刻ｔ０７以降、走査部１３は、上述した時刻ｔ０６〜ｔ０７の動作と同様の動作を、走査線１１５（ｎ）〜走査線１１５（Ｌａｓｔ）について順次実行する。そして、時刻ｔ０９において、走査部１３は、走査線１１５（Ｌａｓｔ）の電圧レベルをＨＩＧＨからＬＯＷに変化させ、最終行に配置された発光画素は消光する。
【００８６】
ここで、時刻ｔ０５〜ｔ０９において、走査線１１５（１）〜１１５（Ｌａｓｔ）の電圧レベルが行順次にＬＯＷ→ＨＩＧＨ→ＬＯＷへ変化する電圧パルス信号が非映像走査信号に相当する。また、走査部１３が、時刻ｔ０５〜ｔ０９において、黒挿入信号を書き込むために走査線１１５（１）〜１１５（Ｌａｓｔ）の電圧レベルを行順次にＬＯＷからＨＩＧＨに変化させる速度が、上述した非映像信号書き込み速度に相当する。また、時刻ｔ０５〜時刻ｔ０９の期間が、非映像信号書き込み期間Ｔｂｌａｃｋに相当する。
【００８７】
以上、本実施の形態に係る駆動方法では、信号出力部１２が、各発光画素の輝度を決定する映像信号電圧を映像信号書き込み期間に出力し、各発光画素を黒表示させる黒挿入電圧を非映像信号書き込み期間に出力する。また、走査部１３が、上記映像信号電圧を各発光画素へ書き込むことを許可する映像走査信号を、映像信号書き込み期間に行順次に出力し、上記黒挿入電圧を各発光画素へ書き込むことを許可する非映像走査信号を、非映像信号書き込み期間に行順次に出力する。上述した信号出力部１２による映像信号電圧及び黒挿入電圧の出力動作、ならびに、走査部１３による映像走査信号及び非映像走査信号の出力動作により、各発光画素は、映像走査信号が印加された直後から非映像走査信号が印加されるまでの間、映像信号電圧に対応した輝度で発光を継続する。つまり、映像信号を画素行ごとに書き込むことに対応させて、全ての発光画素を当該映像信号に基づいて画素行ごとに階調表示させる。
【００８８】
なお、本実施の形態に係る表示装置１の駆動方法では、１フレーム期間において、映像信号書き込み期間Ｔｄｉｓｐと、非映像信号書き込み期間Ｔｂｌａｃｋとは時間的に重畳していない。
【００８９】
また、本実施の形態に係る駆動方法において、映像信号書き込み期間Ｔｄｉｓｐと非映像信号書き込み期間Ｔｂｌａｃｋとの間に空白期間Ｔｂｌａｎｃが設けられている。つまり、空白期間Ｔｂｌａｎｃは、映像信号書き込み期間Ｔｄｉｓｐの終了から、非映像信号書き込み期間の開始までの期間であり、走査部１３が映像書き込み期間の一画素行を走査する期間である１水平期間以上であることが好ましい。空白期間Ｔｂｌａｎｃが設けられない場合、非映像信号書き込み期間Ｔｂｌａｃｋが開始した時点では、データ線１１４が完全に黒挿入電圧レベルに達していないため、非映像信号書き込み期間において高精度な黒挿入レベルが書き込まれない事態が想定される。つまり、空白期間Ｔｂｌａｎｃは、映像信号電圧レベルから完全に黒挿入電圧レベルになってから黒挿入動作を開始するための期間である。
【００９０】
以上のように、本実施の形態に係る表示装置１の表示動作が１フレーム期間（時刻ｔ０１〜時刻ｔ０９）において実行される。上述した駆動方法によれば、１フレーム期間において、映像信号及び黒挿入信号が行順次に各発光画素に書き込まれる。よって、１フレーム期間ごとに黒挿入が実行されるので、動画ぼけを解消することが可能となる。
【００９１】
また、本実施の形態に係る表示装置１の駆動方法では、走査部１３が非映像走査信号を行順次に出力する速度である非映像信号書き込み速度の方が、映像走査信号を行順次に出力する速度である映像信号書き込み速度よりも速く設定される。これにより、１フレームにおける非映像信号書き込み期間を映像信号書き込み期間よりも短く設定することが可能となる。よって、映像信号書き込み速度の高速化を抑制することが可能となる。
【００９２】
ここで、比較のため、表示装置の従来の駆動方法による映像信号書き込み期間Ｔｄｉｓｐの長さと非映像信号書き込み期間Ｔｂｌａｃｋの長さとが等しい表示動作を説明する。
【００９３】
図５は、表示装置の従来の駆動タイミングチャートである。同図において、横軸は時間を表している。また縦方向には、上から順に、データ線１１４の電圧レベル、（ｎ−１）行に配置された走査線１１５（ｎ−１）の電圧レベル、（ｎ−１）行における有機ＥＬ素子１１３の発光輝度レベルＬ（ｎ−１）、ｎ行に配置された走査線１１５（ｎ）の電圧レベル、ｎ行における有機ＥＬ素子１１３の発光輝度レベルＬ（ｎ）、（ｎ＋１）行に配置された走査線１１５（ｎ＋１）の電圧レベル、（ｎ＋１）行における有機ＥＬ素子の発光輝度レベルＬ（ｎ＋１）の電圧レベルの波形図が示されている。
【００９４】
映像信号書き込み期間Ｔ５００（時刻ｔ５１〜ｔ５４）は、全ての発光画素に対して映像信号電圧を書き込む期間である。また、非映像信号書き込み期間Ｔ６００（時刻ｔ５４〜ｔ５７）は、全ての発光画素に対して黒挿入電圧を書き込む期間である。ここでは、映像信号書き込み期間Ｔ５００と非映像信号書き込み期間Ｔ６００とが等しくなっている。つまり、映像信号書き込み速度と非映像信号書き込み速度とが等しい。
【００９５】
上述した従来の駆動方法では、映像信号書き込み速度と非映像信号書き込み速度とが等しく、黒挿入率が５０％に設定されているため、映像信号書き込み期間Ｔ５００は、１フレーム期間の１／２しか確保できない。よって、フレームレートを維持した状態において、非映像信号書き込み期間を設けた場合の従来の映像信号書き込み速度は、非映像信号書き込み期間を設けない場合の映像信号書き込み速度と比較して、２倍高速化しなければならない。
【００９６】
また、黒挿入率が５０％以外の場合、映像信号書き込み期間と非映像信号書き込み期間のどちらかの期間が短くなる。この場合には、映像信号書き込み速度及び非映像信号書き込み速度は、両期間における書き込みの確実性を担保するため、短い方の期間において書き込みが完了できる書き込み速度に設定されなければならない。よって、非映像信号書き込み期間を設けない場合の映像信号書き込み速度と比較して、２倍以上高速化しなければならない。加えて、映像信号書き込み期間でも非映像信号書き込み期間でもない非書き込み期間が生じる。以下、映像信号書き込み速度を高速化した場合、及び、非映像信号書き込み速度を高速化した場合の弊害及び効果について説明する。
【００９７】
映像信号書き込み速度を高速化するほど、走査部１３が行順次に出力する映像走査信号のパルス幅は小さくしなければならない。また、表示パネルの大面積化により、走査部１３から表示部１１へ映像走査信号を伝達するための走査線１１５、及び、信号出力部１２から表示部１１へ映像信号電圧を伝達するためのデータ線１１４が長くなる。この場合、走査部１３及び信号出力部１２から見て走査線１１５及びデータ線１１４の遠端に配置された発光画素１１０では、走査線１１５及びデータ線１１４の寄生容量や抵抗により、走査部１３から出力された映像走査信号及び信号出力部１２から出力された映像信号のパルス波形がなまる。このパルス波形のなまりは、映像走査信号のパルス幅が小さいほど波形なまりによる電圧低下の影響が顕著となり、映像信号電圧の書き込み精度を低下させてしまう。
【００９８】
一方、非映像信号書き込み速度を高速化した場合、非映像信号書き込み期間中ではデータ線１１４は黒挿入電圧値にレベル固定されているので、非映像走査信号のデータ線の波形なまりは、黒挿入電圧の書き込み精度には影響しない。また、図３の画素回路では、映像信号電圧と走査線のオン電圧との電位差よりも、黒挿入電圧と走査線のオン電圧との電位差の方が大きいので、黒挿入信号の書き込み時の方が映像信号書き込み時に比べて、選択トランジスタ１１２の走査線波形なまりに対するオンオフの動作マージンが大きい。よって、非映像信号書き込み期間においては、データ線１１４及び走査線１１５における信号なまりとは無関係に非映像信号書き込み速度を高速化することが可能である。
【００９９】
本実施の形態に係る表示装置１の駆動方法によれば、映像信号書き込み速度の高速化を抑制できるので、映像信号電圧の書き込み精度の低下が抑制される。
【０１００】
本実施の形態では、タイミング制御部１４が、黒挿入率決定部１６により決定された黒挿入率に基づいて映像信号書き込み速度及び非映像信号書き込み速度を設定するが、この書き込み速度を実現するため、
映像信号書き込みクロック周波数ｆｄ＜非映像信号書き込みクロック周波数ｆｂ
としてもよい。ここで、クロック周波数とは、走査部１３を構成するシフトレジスタに入力されるクロック信号の周波数である。これにより、走査部１３のシフトレジスタから出力される非映像走査信号の出力周波数を、映像走査信号の出力周波数よりも高く設定することが可能となる。
【０１０１】
ここで、非映像信号書き込みクロック周波数ｆｂと映像信号書き込みクロック周波数ｆｄとの周波数比をα（＝ｆｂ／ｆｄ）とすると、当該周波数比αが閾値αＴを超えると、走査線の波形なまりにより、非映像走査信号が走査線１１５の遠端に到達しなくなり、黒挿入電圧の書き込みが不可能となる場合が想定される。つまり、黒挿入率を所定値よりも低く設定すれば、全発光画素における黒挿入電圧の書き込みが不可能となる場合がある。以下、黒挿入率を低く設定する場合における駆動方法について説明する。
【０１０２】
図６Ａは、本発明の実施の形態１に係る駆動方法の第１の変形例を示す駆動タイミングチャートである。同図において、横軸は時間を表している。また縦方向には、上から順に、データ線１１４の電圧レベル、（ｎ−１）行に配置された走査線１１５（ｎ−１）の電圧レベル、（ｎ−１）行における有機ＥＬ素子１１３の発光輝度レベルＬ（ｎ−１）、ｎ行に配置された走査線１１５（ｎ）の電圧レベル、ｎ行における有機ＥＬ素子１１３の発光輝度レベルＬ（ｎ）、（ｎ＋１）行に配置された走査線１１５（ｎ＋１）の電圧レベル、（ｎ＋１）行における有機ＥＬ素子の発光輝度レベルＬ（ｎ＋１）の電圧レベルの波形図が示されている。
【０１０３】
図６Ａに記載された駆動タイミングチャートは、周波数比αが閾値αＴを超えた場合に適用されるものである。黒挿入率の低減による非映像信号書き込み速度の増加により、走査線１１５の遠端に配置された発光画素１１０において、黒挿入電圧の書き込み精度が低下していくが、この書き込み精度の低下を回避すべく、時刻ｔ１５〜時刻ｔ１９において走査部１３から出力される非映像走査信号のパルス幅を広く設定している。言い換えると、非映像信号書き込み期間Ｔｂｌａｃｋでは、非映像走査信号のパルス幅を、映像走査信号のパルス幅と略同一に設定している。但し、非映像信号書き込みクロック周波数ｆｂは変化させておらず、映像信号書き込みクロック周波数ｆｄに比べ高く設定されている。具体的には、時刻ｔ１７において、ｎ行の走査線１１５（ｎ）の電圧レベルをＬＯＷからＨＩＧＨへ変化させているが、（ｎ−１）行の走査線１１５（ｎ−１）の電圧レベルはＨＩＧＨに維持されている。これは、黒挿入電圧を全発光画素に書き込むための非映像信号書き込み期間Ｔｂｌａｃｋにおいては、複数の画素行に対して同時に同じ黒挿入電圧が書き込まれても問題が生じないことによるものである。
【０１０４】
以上のように、非映像信号書き込み速度と映像信号書き込み速度との比に対応する周波数比αが閾値αＴを超えた場合には、非映像走査信号のパルス幅を、複数の画素行でＯＮとなるレベルが重複するまで広くすることにより、映像データ書き込み速度の高速化を抑制でき、所望の黒挿入率を実現できる。
【０１０５】
図６Ｂは、本発明の実施の形態１に係る駆動方法の第２の変形例を示す駆動タイミングチャートである。ここでは、図６Ａと異なる点のみ説明する。
【０１０６】
図６Ｂに記載された駆動タイミングチャートも、図６Ａに記載された駆動タイミングチャートと同様に、周波数比αが閾値αＴを超えた場合に適用されるものである。黒挿入率の低減による非映像信号書き込み速度の増加により、走査線１１５の遠端に配置された発光画素１１０において、黒挿入電圧の書き込みが不可能となる場合に対して、時刻ｔ２５〜時刻ｔ２９において走査部１３から出力される非映像走査信号の電圧レベルを、映像走査信号の電圧レベルよりも高く設定している。但し、非映像信号書き込みクロック周波数ｆｂは変化させておらず、映像信号書き込みクロック周波数ｆｄに比べ高く設定されている。
【０１０７】
以上のように、非映像信号書き込み速度と映像信号書き込み速度との比に対応する周波数比αが閾値αＴを超えた場合には、非映像走査信号のパルス電圧レベルを高くすることにより、映像データ書き込み速度の高速化を抑制でき、所望の黒挿入率を実現できる。
【０１０８】
（実施の形態２）
実施の形態１では、タイミング制御部１４で設定された映像信号書き込み速度と非映像信号書き込み速度との差により、映像信号書き込みの開始から非映像信号の書き込みの開始までの発光期間の長さが、画素行ごとに異なることが想定される。例えば、実施の形態１のように、行順次書き込みを実行する場合、図４に示されるように、画素行が下方となるにつれ、発光期間が短くなる。つまり、上記書き込み速度の差により、画素行ごとの黒挿入率が異なる。この場合には、表示部１１の上部領域から下部領域へ向かうにつれて、映像信号を反映しない輝度差が発生する場合がある。
【０１０９】
本実施の形態では、映像データ書き込み速度の高速化を抑制しつつ、映像信号書き込み速度と非映像信号書き込み速度とを異ならせても、上記輝度差を解消することが可能な表示装置の駆動方法について説明する。ここで、実施の形態２に係る表示装置は、実施の形態１に係る表示装置１と構成は同じであり、駆動方法のみが異なる。以下、実施の形態１と同じ点は説明を省略し、実施の形態１と異なる点のみ図７を用いて説明する。
【０１１０】
図７は本発明の実施の形態２に係る表示装置の駆動タイミングチャートである。同図において、横軸は時間を表している。また縦方向には、上から順に、データ線１１４の電圧レベル、（ｎ−１）行に配置された走査線１１５（ｎ−１）の電圧レベル、（ｎ−１）行における有機ＥＬ素子１１３の発光輝度レベルＬ（ｎ−１）、ｎ行に配置された走査線１１５（ｎ）の電圧レベル、ｎ行における有機ＥＬ素子１１３の発光輝度レベルＬ（ｎ）、（ｍ−１）行に配置された走査線１１５（ｍ−１）の電圧レベル、（ｍ−１）行における有機ＥＬ素子１１３の発光輝度レベルＬ（ｍ−１）、ｍ行に配置された走査線１１５（ｍ）の電圧レベル、ｍ行における有機ＥＬ素子１１３の発光輝度レベルＬ（ｍ）の電圧レベルの波形図が示されている。また、ｎ行よりもｍ行の方が表示部１１における下方領域にある（ｎ＜ｍ−１）。
【０１１１】
図７に記載された駆動タイミングチャートにおいて、上述した書き込み速度の差により、ｎ行の発光期間Ｔｎが、ｍ行の発光期間Ｔｍよりも長くなっている。一方、ｍ行の発光期間における輝度レベルＬＤｍが、ｎ行の発光期間における輝度レベルＬＤｎよりも高くなっている。つまり、画素行間における発光期間の差に応じて、単位時間の発光輝度を傾斜変換している。具体的には、信号変換部１５は、タイミング制御部１４で設定された映像信号書き込み速度と非映像信号書き込み速度との差に応じて、映像信号電圧の大きさを画素行ごとに補正して信号出力部１２へと出力している。例えば、信号変換部１５は、画素行が表示部１１の下方にあるほど、当該画素行の映像信号電圧を増加する補正を行う。あるいは、信号変換部１５は、隣接する複数の画素行を１ブロックとした場合に、ブロック単位で映像信号電圧を増加する補正を行う。つまり、映像信号の書き込みによって開始し非映像信号の書き込みによって終了する発光期間の長さに応じて、画素行ごとに当該映像信号の大きさを補正する。人が視認する輝度は、１フレーム期間に占める発光期間における単位時間あたりの発光輝度の積分量に相当するので、上記輝度補正により、ｎ行の発光画素とｍ行の発光画素との間で、映像信号を反映しない輝度差は解消される。
【０１１２】
これにより、映像データ書き込み速度の高速化を抑制しつつ、映像信号書き込み速度と非映像信号書き込み速度とを異ならせることにより発生する画素行間の輝度差を解消することが可能となる。
【０１１３】
なお、タイミング制御部１４は、黒挿入率決定部１６により決定された黒挿入率に応じて書き込み速度を決定するが、決定された映像信号書き込み速度及び非映像信号書き込み速度の差が大きくなると、信号出力部１２から出力される信号電圧の制限値を超えなければ、上述した輝度差を解消できない場合が想定される。このような場合に対応するため、タイミング制御部１４は、信号出力部１２の信号電圧出力可能範囲に基づいて、映像信号書き込み速度及び非映像信号書き込み速度の設定を制限してもよい。つまり、黒挿入率決定部１６により決定された黒挿入率は、タイミング制御部１４により制限されてもよい。これによれば、映像信号を反映しない輝度差を確実に解消することが可能となる。
【０１１４】
以上、実施の形態１及び２に基づいて本発明に係る表示装置及びその駆動方法を説明してきたが、本発明の表示装置及びその駆動方法は、上述した実施の形態１及び２に限定されるものではない。実施の形態１及び２における任意の構成要素を組み合わせて実現される別の実施の形態や、実施の形態１及び２に対して本発明の主旨を逸脱しない範囲で当業者が思いつく各種変形を施して得られる変形例や、本発明に係る表示装置を内蔵した各種機器も本発明に含まれる。
【０１１５】
なお、実施の形態１及び２に係る表示装置の駆動方法では、映像信号電圧及び黒挿入電圧を行順次書き込みする場合について例示したが、これに限られない。本発明の表示装置の駆動方法は、１フレーム期間において、映像信号電圧を各発光画素へ書き込む映像信号書き込み期間と、黒挿入電圧を各発光画素へ書き込む非映像信号書き込み期間とが時間的に重畳しない駆動方法であれば適用される。例えば、表示部１１を上下に２分割し、上部領域の各発光画素に行順次書き込みすると同時に、下部領域の各発光画素に行順次書き込みするような駆動方法が挙げられる。
【０１１６】
また、実施の形態１及び２において、映像信号に応じた発光をしない非映像信号として黒挿入信号を採用しているが、当該非映像信号は、最低階調の映像信号データに限られない。
【０１１７】
また、上記実施の形態１及び２では、映像信号書き込み速度が全ての画素行において等しく、かつ、非映像信号書き込み速度が全ての画素行において等しい場合を例示したが、本発明はこれに限られない。少なくとも、隣接する画素行群ごとに映像信号書き込み速度が異なる、または、隣接する画素行群ごとに非映像信号書き込み速度が異なる場合であってもよい。かかる場合には、非映像信号書き込み速度の全画素行にわたる平均速度が映像信号書き込み速度の全画素行にわたる平均速度よりも高く設定されている表示装置及びその駆動方法は本発明の範囲である。
【０１１８】
また、以上述べた実施の形態では、選択トランジスタ及び駆動トランジスタのゲートの電圧レベルがＨＩＧＨの場合にオン状態になるｎ型トランジスタとして記述しているが、これらをｐ型トランジスタで形成し、走査信号電圧及び映像信号電圧の極性を反転させた画像表示装置でも、上述した各実施の形態と同様の効果を奏する。
【０１１９】
また、例えば、本発明に係る表示装置は、図８に記載されたような薄型フラットＴＶに内蔵される。本発明に係る表示装置が内蔵されることにより、映像データ書き込みの高速化を抑制しつつ動画ぼけがない画像表示が可能な薄型フラットＴＶが実現される。
【産業上の利用可能性】
【０１２０】
本発明は、フレーム期間内で画像が持続されるホールド型表示装置に有用であり、特に、高品質な動画像が要求されるアクティブ型の有機ＥＬフラットパネルディスプレイに有用である。
【符号の説明】
【０１２１】
１    表示装置
１１    表示部
１２    信号出力部
１３    走査部
１４    タイミング制御部
１５    信号変換部
１６    黒挿入率決定部
１１０    発光画素
１１１    駆動トランジスタ
１１２    選択トランジスタ
１１３    有機ＥＬ素子
１１４    データ線
１１５    走査線
１１６    正電源線
１１７    負電源線
１１８    コンデンサ
【図１】
2013174739.tif 000003
【図２】
2013174739.tif 000004
【図３】
2013174739.tif 000005
【図４】
2013174739.tif 000006
【図５】
2013174739.tif 000007
【図６Ａ】
2013174739.tif 000008
【図６Ｂ】
2013174739.tif 000009
【図７】
2013174739.tif 000010
【図８】
2013174739.tif 000011